(57)【要約】【課題】  多様化する検索キーワードの付加価値を機械的に計算し、さまざまな検索キーワード連動型サービスの適正な利用料金を算出することを可能とするキーワード検索連動型サービスの料金算出システム及びキーワード検索連動型サービスの料金算出方法を提供すること。【解決手段】リファラー情報を取得するキーワード情報取得のステップと、上記情報取得したキーワードとクリック金額を索引付けし、データベース化を行うステップと、利用料金照会のステップと連動してクリック金額データベース部に問い合わせを実施するステップを含むこととした。【選択図】図２
2008257659.tif 000002
【特許請求の範囲】
【請求項１】
キーワード検索連動型サービスのキーワード情報取得部と、上記情報取得したキーワードとクリック金額を索引付けし、データベース化を行うデータベース部とを備えることを特徴とするキーワード検索連動型サービスの料金算出システム。
【請求項２】
キーワード検索連動型サービスのキーワード情報取得ステップと、上記情報取得したキーワードとクリック金額を索引付けし、データベース化を行うデータベースステップとを備えることを特徴とするキーワード検索連動型サービスの料金算出方法。
【発明の詳細な説明】
【技術分野】
【０００１】  本発明は、キーワード検索連動型サービスの料金算出システム及びキーワード検索連動型サービスの料金算出方法に関する。
【背景技術】
【０００２】  一般消費者の消費行動におけるキーワード検索にたいする依存が高くなるにつれて多種多様なキーワード検索連動型サービスが提供されるようになっている。キーワード検索連動型サービスは、以下の２種類に大別される。【０００３】  １．一般消費者を商用ウェブサイトに誘導するための集客目的として、リスティング広告と、ＳＥＯと呼ばれる上位表示サービス。
２．上記の集客方法を用いてキーワード検索によって集客されたウェブサイト訪問者の当該サイト内のアクセス解析サービスとランディングページ最適化サービス。【０００４】  上記のキーワード検索連動型サービスは、検索キーワードによって付加価値が異なることが特徴である。例えば、安価な商品を販売する商用ウェブサイトに集客するためのコストは１クリックあたり数円で済ませられるが、不動産関連のキーワードは１クリック数百円になる場合があるようにキーワードによって金額が大きく変化する。キーワード検索連動型広告サービスを提供する企業にとって、膨大な数に上る検索キーワードに応じて、それぞれの付加価値に見合った対価を算出することが困難であった。
【発明の開示】
【発明が解決しようとする課題】
【０００５】  本発明は、上記事情に鑑みてなされたもので、多様化する検索キーワードの付加価値を機械的に計算しながら、さまざまな検索キーワード連動型サービスの適正な利用料金を算出することを目的とする。
【課題を解決するための手段】
【０００６】上記目的を達成するために、本発明は、キーワード検索連動型サービスの料金算出システムであって、リファラー情報に付与される検索キーワード情報を判定するキーワード情報取得部と、上記情報取得したキーワードとクリック金額を索引付けし、データベース化を行うクリック金額データベース部とを備えることを特徴とする。本発明に係るキーワード検索連動型サービスの料金算出システムは、その実施の形態で、キーワード情報取得部に連動してデータベース部に問い合わせを実施する利用料金照会部をさらに備える。なお、利用料金照会部はクリック金額データベース部と一体に構成することもできる。【０００７】  本発明は、キーワード検索連動型サービスの料金算出方法であってリファラー情報に付与される検索キーワード情報を判定するキーワード情報取得ステップと、上記情報取得したキーワードとクリック金額を索引付けし、データベース化を行うクリック金額データベース化ステップとを備えることを特徴とする。本発明に係るキーワード検索連動型サービスの料金算出方法は、その実施の形態で、キーワード情報取得ステップに連動してデータベース化ステップと連動しながら問い合わせを実施する利用料金照会ステップをさらに備える。なお、利用料金照会ステップはクリック金額データベース化ステップと併せて実行することもできる。【０００８】  ここで、本明細書で取り扱われるキーワード検索連動型サービスの関連用語について、説明を加える。
「クリック金額」：広告の表示自体には料金がかからず、クリックされた際に料金が発生する広告の課金方法におけるその課金される金額。例えば、リスティング広告の広告料金は、安価な商品を販売する商用ウェブサイトに集客するためのコストは１クリックあたり数円で済ませられるが、不動産関連のキーワードは１クリック数百円になる場合があるようにキーワードによってクリック金額が大きく変化する。
「リスティング広告」：キーワード検索連動型とも呼ばれ、検索エンジンでの検索結果画面上に、指定したキーワードの場合にのみ表示されるテキスト広告を差す。一般的にリスティング広告の課金体系はクリック課金制である。
「ＳＥＯ」：検索エンジンの検索結果のページの表示順の上位に当該ウェブサイトが表示されるように工夫するサービスのこと。同じ検索エンジンによる集客方法であるリスティング広告にたいして、広告枠ではなく、純粋な検索結果の上位に表示させることが特徴である。そのサービス提供の実際には、リスティング広告の一般化によって、ＳＥＯサービス提供企業やＳＥＯサービスの販売代理店にとって、キーワード別にサービス提供料金を算出する方法が求められるようになっている。
「アクセス解析サービス」：主に、ウェブサーバーのアクセスログを分析し、どのコンテンツ、つまりどんな内容ページが読まれているのか、ウェブサイト訪問者がどこから来たのか、ウェブサイト訪問者のパソコン環境はどのようなものか等を解析するサービス。アクセス解析サービスを利用することによって特に商用ウェブサイトでは消費者の動向を把握するためのマーケティングリサーチが可能になる。
「ランディングページ最適化」：ウェブサイト訪問者が初めに到着するページ（ランディングページ）を検索キーワードに適合させることによって、サイト内滞在時間や、資料請求率、物品購入率といったようなユーザーアクションに誘導できるよう最適化を図るマーケティングソリューションを指す。ランディングページ最適化を施策することによってウェブ広告の費用対効果を改善することが可能となる。
【発明の効果】
【０００９】  本発明によれば、多様化する検索キーワードの付加価値を機械的に計算しながら、さまざまな検索キーワード連動型サービスの適正な利用料金を算出することを可能とするキーワード検索連動型サービスの料金算出システム及びキーワード検索連動型サービスの料金算出方法が提供される。
【発明を実施するための最良の形態】
【００１０】  以下に、キーワード検索連動型サービスの料金算出システム及びキーワード検索連動型サービスの料金算出方法について、その実施の形態を参照しながらさらに詳細に説明する。【００１１】  図１は、本発明に係るキーワード検索連動型サービスの料金算出システムの一実施の形態を含む全体的システム構成を説明する概念図である。本発明に係るキーワード検索連動型サービスの料金算出システムは、一般的に管理サーバ（サーバコンピュータ）上で実現される。図１で、管理サーバ１０６には、キーワード検索連動型サービスの料金算出システムの一実施の形態が組み込まれている。この管理サーバ１０６は、検索エンジンを経由して、複数の端末ＰＣ（パーソナル・コンピュータ）１０２と接続している。端末ＰＣのウェブサイト訪問者（１００）は、管理サーバ１０６を介して、複数の導入ウェブサイト１０４上のウェブページにアクセスすることができるように構成されている。【００１２】  なお、管理サーバ１０６は、便宜上、単一のものとして表現されている。しかし、その構成ユニットを分散させ、同一場所に設置したもの、異なった場所に分散して設置し、ネットワークを介して連携させるような構成としてもよく、当業者にとって想定される形態は、全て実現可能である。【００１３】  さらに、図２に、本発明に係るキーワード検索連動型サービスの料金算出システムを採用して、本発明に係るキーワード検索連動型サービスの料金算出方法を実施する一形態について、その動作フローを示す。以下、図２に沿って、説明する。
ウェブサイト訪問者（１００）が検索エンジン（１０２）の検索サービスを利用し、検索目的に合致したウェブサイト（１０４）を訪問する（ステップ２００）際に、管理サーバ１０６のキーワード情報取得部がリファラー情報を取得する（ステップ２０１）。【００１４】  次いで、管理サーバ１０６のキーワード情報取得部がリファラー情報に検索キーワード情報が付与されているかどうかを識別する（ステップ２０２）。もしリファラー情報にキーワード情報は付与されていなければ、キーワード検索連動型サービスの料金算出は行わない（ステップ２０３）。【００１５】  リファラー情報にキーワード情報は付与されている場合は、検索キーワード情報がリスティング広告によるものかどうか識別する（ステップ２０４）。なお、リスティング広告によるものかどうか、つまりＳＥＯによる来訪ではないかどうかは、キーワード検索連動型サービスの料金算出システムに登録されているパラメータの有無によって識別される。【００１６】  キーワード情報にパラメータが付与されていれば、リスティング広告による来訪である（ステップ２０５）ことが分かり、パラメータが付与されていなければＳＥＯによる訪問と分かる（ステップ２０６）。リスティング広告とＳＥＯを識別することによって、特定のキーワード検索連動型サービスの料金を算出することが可能となる。もっとも、パラメータ付与の有無にかかわらず、キーワード検索連動型サービスの料金算出システムは動作することができ、キーワード検索連動型サービスの料金算出方法は実施されることができる。【００１７】  そして、管理サーバ１０６の利用料金照会部とキーワード情報取得部がともに連動してクリック金額データベース部（１０７）に問い合わせを実施する（ステップ２０７）。なおデータベース部は、管理サーバ１０６の内部に存在してもよく、外部（１０７）として存在してもよい。またデータベース部（１０７）は、リスティング広告会社が提供するクリック単価金額をプログラムによって機械的に取得して構築されてもよく、人手を介してクリック単価金額を入力されることによって構築されてもよい。料金を算出するキーワード検索連動型サービス別に、クリック金額の何パーセントを料金に提供するのか登録してある（ステップ２０８）データベースと連動して、キーワード検索連動型サービスの料金を算出する（ステップ２０９）。なおステップ２０８はステップ２０９の前に実施されても、後に実施されても良い。【００１８】  以上のステップ２００〜２０９を実行することにより、本実施の形態に係るキーワード検索連動型サービスの料金算出システムは、ウェブサイト訪問者（１００）が検索することによって検索エンジン（１０２）を経由してウェブサイト（１０４）にアクセスする際に、キーワード検索連動型サービスの料金を算出する状態を維持する。
【図面の簡単な説明】
【００１９】
【図１】  本発明に係るキーワード検索連動型サービスの料金算出システムの一実施の形態について、その概要を説明するシステム図である。
【図２】  本発明に係るキーワード検索連動型サービスの料金算出システムの一実施の形態により、本発明に係るキーワード検索連動型サービスの料金算出方法を実施する形態について、その概要を説明するフロー図である。
【符号の説明】
【００２０】      １００      パーソナル・コンピュータ
１０２      検索エンジン
１０４      ウェブサイト
１０６      管理サーバー
１０７      クリック金額データベース
【図１】
2008257659.tif 000003
【図２】
2008257659.tif 000004